(57)【要約】【課題】自由に改造することができるとともにそれぞれ異なる模様に組み立てることができ、且つ趣味性に充分に富む合わせ嵌め絵装飾板体を提供する。【解決手段】底板（２）と複数塊の合わせ嵌め塊（３，４）を備え、前記の底板（２）が長方形に形成され、且つ孔部が形成されて重量の表示を示す液晶パネルを露出させ、且つ前記の底板（２）には５０塊の矩形の合わせ嵌め塊（３）を収納できるとともに、前記の孔部には一個の枠状合わせ嵌め塊（４）が配置され、それぞれの合わせ嵌め塊（３，４）の表面にはそれぞれ異なる色彩やパターンや模様や文字や符号などを印刷形成できる。【選択図】図２
0003105935.tif 000002
【実用新案登録請求の範囲】
【請求項１】
底板と複数塊の合わせ嵌め塊とを備えており、前記の底板が既存の技術によって家具や電気製品などのハウジングの平面部に固着するように加工実施される合わせ嵌め絵装飾板体であって、
前記底板の表面には複数個の、突出物からなる合わせ嵌め部材が設けられ、且つ前記それぞれの合わせ嵌め塊の底部には突出物からなる嵌合部が形成され、前記の合わせ嵌め塊の突出物からなる嵌合部の位置と仕様と形状とが、丁度前記の合わせ嵌め部材と合致されるように処理され、前記の嵌合部が前記の合わせ嵌め部材と嵌合でき、且つ前記の合わせ嵌め部材より抜き出されることもでき、前記それぞれの塊の、またはそれぞれのセットにおける複数塊の合わせ嵌め塊の上面部にはそれぞれ異なる色彩やそれぞれ異なる図画やそれぞれ異なる形状などの条件が設定され、前記合わせ嵌め塊が複数塊組み立てられてから前記の底板における合わせ嵌め部材に差し込まれると、それぞれ異なる色彩を有するパターンやそれぞれ異なる模様を有するパターンなどが形成されるようになることを特徴とする、
合わせ嵌め絵装飾板体。
【請求項２】
前記底板における合わせ嵌め部材における突出物として複数のリブによって幾何形状を形成させるように囲って形成されるものを使用し、且つ前記合わせ嵌め塊の底部における前記の嵌合部の突出物が前記の合わせ嵌め部材の突出物の幾何形状と合致するように設計され、二つのリブからなる受け入れ槽が形成され、その受け入れ槽には前記の嵌め合わせ部材のリブをはめ込むことができるように設定されることを特徴とする、請求項１に記載の合わせ嵌め絵装飾板体。
【請求項３】
前記それぞれの合わせ嵌め塊の底部は、フランジによって囲う構成を形成し、且つそのフランジの高さが前記の合わせ嵌め部材の深さよりやや低く形成されるように設定されることを特徴とする、請求項１または２に記載の合わせ嵌め絵装飾板体。
【請求項４】
前記底板における前記の合わせ嵌め部材が前記の底板の表面に均一的に分布されるように設定されることを特徴とする、請求項１に記載の合わせ嵌め絵装飾板体。
【請求項５】
前記の底板が体重計装置のハウジングの表面に取り付けられるように設定されることを特徴とする、請求項１に記載の合わせ嵌め絵装飾板体。
【請求項６】
前記の底板が掛け時計のハウジングの表面に取り付けられるように設定されることを特徴とする、請求項１に記載の合わせ嵌め絵装飾板体。
【請求項７】
前記合わせ嵌め塊の形状が四方形に形成されることを特徴とする、請求項１に記載の合わせ嵌め絵装飾板体。
【請求項８】
前記合わせ嵌め塊の形状が枠形に形成されるとともに、その中央部近傍には孔部が形成されることを特徴とする、請求項１に記載の合わせ嵌め絵装飾板体。
【請求項９】
前記の合わせ嵌め塊の形状が多辺形に形成されることを特徴とする、請求項１に記載の合わせ嵌め絵装飾板体。
【請求項１０】
前記合わせ嵌め塊の仕様と数量が、すべての合わせ嵌め塊を前記の底板に対しぴったりするように合わせ嵌めるような数値に設定され、隙間を形成させないように嵌め合わせ成形させることを特徴とする、請求項１に記載の合わせ嵌め絵装飾板体。
【考案の詳細な説明】
【技術分野】
【０００１】
本考案は、合わせ嵌め絵装飾板体に関し、特に複数塊の合わせ嵌め塊を合わせ嵌めてなる、装飾の芸術の分野に属する合わせ嵌め絵装飾板体に関するものである。
【背景技術】
【０００２】
マーケットにおいては、大部分の家具や電子体重計などの電気製品や掛け時計や収納箱などの物品には、そのハウジングには、すべて一枚または複数枚の平面板体を有し、その美観性を向上するために、メーカは大体それらの製品の前記の表面板体にカラーのパターンを印刷し、飾りとしての機能を発揮させる。また、それらの製品の表面の板体をそれぞれ異なる形状の物品になるように作製し、または特別な材料、例えばガラスや金属などによって精密的で美観的になる表面板体を作製する。
【０００３】
しかしながら、それらの類の製品が、その製造完成後に、使用者はその製品における表面板体の色彩や形状などの条件を客観的に改変できなく、多くの使用者はそれら製品を購入してから、その色彩や形状などを改造し、または、その製品の外見に飽きてしまい、または家屋を装飾や修理などのことを実行することによって、その製品が家屋のインテリアの色彩と相容れないように窮屈な結果を招く場合があり、それらの状況が生じる場合では、それらの製品が依然として使用可能な状態に処していたが、他のスタイルの同類の製品を購入する場合が多くあるので、費用の浪費を招くばかりか、天然や人工などの資源の浪費を招くこともある。
【考案の開示】
【考案が解決しようとする課題】
【０００４】
前記のそれぞれの課題を解消するために、本考案は、使用者が気軽にその表面板体の外見の設計を改変でき、且ついずれの粘着用接着剤を使用する必要はなく、合わせ嵌め塊を穏やかに表面板体に固着でき、それらの合わせ嵌め塊が脱落することが生じなく、美観性と実用性に富み、構造が簡単で、生産コストが安価であり、家具や電気製品などの外見を美化するばかりか、使用者が創作力を発揮でき、趣味性に充分に富む、合わせ嵌め絵装飾板体を提供することをその主要な解決しようとする課題とする。
【課題を解決するための手段】
【０００５】
前記の目的を図るために、本考案は、底板と複数塊の合わせ嵌め塊を備え、前記底板が現有の技術によって家具または電気製品のハウジングの平面に固着されるようにした合わせ嵌め絵装飾板体であって、前記底板の表面には複数個の突出物からなる合わせ嵌め部材が設けられ、前記の合わせ嵌め塊の底部には突出物からなる嵌合部が形成され、前記の合わせ嵌め塊の突出物からなる嵌合部の位置と仕様と形状とが丁度前記の合わせ嵌め部材と合致し、且つ前記嵌合部が前記の合わせ嵌め部材と差し込み結合でき、または前記の合わせ嵌め部材より抜き出すことができ、前記の合わせ嵌め塊のそれぞれの塊体またはそれぞれのセットの複数の塊体の表面にはそれぞれ異なる色彩と模様が形成される、合わせ嵌め絵装飾板体を提供する。
【０００６】
また、本考案は、前記の合わせ嵌め絵装飾板体においては、前記の底板における前記の合わせ嵌め部材の突出物がリブによって幾何形状を形成するように囲ってなるものであり、且つ前記の合わせ嵌め塊の底部の前記の嵌合部の突出物が前記の突出物の幾何形状と適合するように設定され、二つのリブによって形成される受け入れ槽には丁度前記の嵌め合わせ部材のリブを受け入れられるようにしたことを特徴とする合わせ嵌め絵装飾板体を提供する。
【０００７】
前記の合わせ嵌め絵装飾板体においては、それぞれの合わせ嵌め塊の底部にはフランジによって縁部を形成するように囲い、且つ前記フランジの高さが前記の合わせ嵌め部材の深さよりやや小さくなるように設定する。
【０００８】
また、前記の底板の前記の合わせ嵌め部材が前記の底板の表面に均一的に分布されるようにしたことを特徴とする合わせ嵌め装飾板体を提供する。
【０００９】
また、前記の底板が体重計のケーシングの表面に取り付けられることを特徴とする合わせ嵌め装飾板体を提供する。
【００１０】
また、前記の底板が壁に掛けられる時計の表面に取り付けられることを特徴とする合わせ嵌め装飾板体を提供する。
【００１１】
また、前記の合わせ嵌め塊の形状が矩形に形成されることを特徴とする合わせ嵌め装飾板体を提供する。
【００１２】
また、前記の合わせ嵌め塊の形状が枠形に形成されるとともに、その中間部には孔部が形成されることを特徴とする合わせ嵌め装飾板体を提供する。
【００１３】
また、前記の合わせ嵌め塊の形状が多辺形に形成されることを特徴とする合わせ嵌め装飾板体を提供する。
【００１４】
また、前記の合わせ嵌め塊の仕様と数量とが丁度すべての合わせ嵌め塊が前記の底板を充満して隙間が存在しようように設定することを特徴とする、合わせ嵌め装飾板体を提供する。
【００１５】
また、前記の底板と前記の合わせ嵌め塊とがPVC材によって作製されるようにした合わせ嵌め絵装飾板体を提供する。
【００１６】
また、前記の合わせ嵌め塊の表面にはそれぞれ異なる色彩とパターンが印刷または貼り付けるようにされることを特徴とする、合わせ嵌め絵装飾板体を提供する。
【００１７】
本考案は、簡単な合わせ嵌め絵の原理を家具または電気製品の表面板体に応用し、家具や電気製品などの外見の美観性を向上できるばかりか、英文字または他の文字に形成される前記のそれぞれの合わせ嵌め塊を底板に配置する場合では、願いや祝いなどのメッセージを形成でき、記念価値を有するプレゼントを形成でき、また、使用者は特殊な顔料を利用して前記の合わせ嵌め塊にパターンや模様などを描くことができるので、唯一性を有する装飾板体を提供できる。
【考案を実施するための最良の形態】
【００１８】
図１と図２に示すのは、本考案の実施の形態の合わせ嵌め絵装飾板体を現有の技術によって電子体重計１のハウジングの平面に取り付ける状態を示す説明図であり、そのものには、底板２と複数塊の合わせ嵌め塊３，４を備え、前記の底板２と前記の合わせ嵌め塊３，４がPVCプラスチック材によって作製されるものであり、前記の底板２が長方形に形成され、且つ孔部が形成されて重量の表示を示す液晶パネルを露出させ、且つ前記の底板２には５０塊の矩形の合わせ嵌め塊３を収納できるとともに、前記の孔部には一個の枠状合わせ嵌め塊４が配置され、それぞれの合わせ嵌め塊３，４の表面にはそれぞれ異なる色彩やパターンや模様や文字や符号（図示省略）などを印刷形成できる。
【００１９】
また、前記の底板２の孔部の周りには８個の合わせ嵌め部材２１が形成され、それぞれの合わせ嵌め部材２１が円形に囲われるリブからなるものであり、図３に示すように、前記の枠形合わせ嵌め塊４の底部にはフランジ３２によってその縁部を囲い、且つ４個の合わせ嵌め部材２１と合わせるための嵌合部３１が形成され、嵌合部３１が二つの同心円に形成されるリブからなる受け入れ槽３３によって形成されるものであり、その円形受け入れ槽３３とその底板２における円形合わせ嵌め部材２１の形状と仕様とが相互に合わせられるように設定され、丁度合わせ嵌め部材２１を収納でき、且つフランジ３２の高さと前記の受け入れ槽３３の深さとが大体同じになるように設定されている。
【００２０】
前記の孔部の近傍には枠形の合わせ嵌め塊４を有する位置以外の他の部分においては、前記底板２の表面には、５０個の均一的に分布される合わせ嵌め部材２２が設けられ、それらの合わせ嵌め部材２２がリブによって幾何形状を形成するように組み合わせてなるものであり、その形状は上下方における二本の直線と左右二本の弧形線条とによってほぼ長方形状に形成させるものであり、図４と図５に示すように、合わせ嵌め塊３の底部にはフランジ３４によってその縁部を囲い、且つ合わせ嵌め部材２２と合わせるための嵌合部３５が設けられ、嵌合部３５が二つのリブからなる受け入れ槽３６からなるものであり、且つ受け入れ槽３６と底板２における合わせ嵌め部材２２とが、形状とサイズが丁度合わせられるように設定され、丁度合わせ嵌め部材２２を収納でき、フランジ３４の高さと前記の受け入れ槽３６との深さとがほぼ同じように設定され、５０塊の合わせ嵌め塊３と一塊の合わせ嵌め塊４とのサイズと形状とは丁度前記底板２を充分に充填でき、隙間を形成させることはない。自由に前記の５０塊の合わせ嵌め塊３を前記の底板２に組み立てる場合では、それぞれ異なる色彩と模様を有するパターンを形成させることができる。
【産業上の利用可能性】
【００２１】
本考案による場合、自由に改造でき、且つ趣味性に充分に富む合わせ嵌め絵装飾板体を提供できる。
【図面の簡単な説明】
【００２２】
【図１】本考案の底板の形状を示す正面図である。
【図２】本考案の合わせ嵌め塊が底板に嵌め合わせられる場合を示す正面図である。
【図３】本考案の他の種の合わせ嵌め塊の底部の構成を示す説明図である。
【図４】本考案の他の種の合わせ嵌め塊の底部の構成を示す説明図である。
【図５】図４における断面を示す断面図である。
【符号の説明】
【００２３】
１    電子体重計
２    底板
２１  合わせ嵌め部材
２２  合わせ嵌め部材
３    合わせ嵌め塊
３１  嵌合部
３２  フランジ
３３  受け入れ槽
３４  フランジ
３５  嵌合部
３６  受け入れ槽
４    合わせ嵌め塊
【図１】
0003105935.tif 000003
【図２】
0003105935.tif 000004
【図３】
0003105935.tif 000005
【図４】
0003105935.tif 000006
【図５】
0003105935.tif 000007